(57)【要約】【課題】  装着したカツラが正常な位置からずれない構造および装着しやすく外れにくいカツラの取付け構造を提供すること。【解決手段】  表面に頭髪を植毛し、裏面に人形の頭部に被せる凹所を設けた略半球状の装着部を有したカツラを設け、前記凹所の開口を弾性体によって伸縮可能に形成し、  前記人形の頭部外周に環状の溝部と突起状の凸部を形成し、前記凹所の開口を前記溝部に着脱可能となるように形成するとともに、前記凸部を前記凹所の内面に係合させるように構成したことを特徴とする。【選択図】図１
2013236867.tif 000002
【特許請求の範囲】
【請求項１】
表面に頭髪を植毛し、裏面に人形の頭部に被せる凹所を設けた略半球状の装着部を有したカツラを設け、
前記凹所の開口を弾性体によって伸縮可能に形成し、
前記人形の頭部外周に環状の溝部と突起状の凸部を形成し、
前記凹所の開口を前記溝部に着脱可能となるように形成するとともに、前記凸部を前記凹所の内面に係合させるように構成したことを特徴とする人形。
【請求項２】
前記凸部は、頭部を構成する樹脂よりも硬質の樹脂によって形成されていることを特徴とする請求項１記載の人形。
【請求項３】
表面に頭髪を植毛し、裏面に人形の頭部に被せる凹所を設けた略半球状の装着部を有したカツラを設け、
前記凹所の開口を弾性体によって伸縮可能に形成し、
前記人形の頭部外周に環状の溝部を形成し、
前記溝部の後頭部側の縁部に、後方から前方に向かって隆起した傾斜面と当該傾斜面の上縁から溝部の底面に略垂直に至る壁面によって、９０度よりも角度の小さいエッジ形成し、
前記凹所の開口を前記溝部に着脱可能となるように形成したことを特徴とする人形。
【請求項４】
前記溝部の後頭部側の縁部に、前記エッジよりも突出させた凸部を形成したことを特徴とする請求項３記載の人形。
【発明の詳細な説明】
【技術分野】
【０００１】
本発明は、カツラを着脱可能に構成した人形の構造に関するものである。
【背景技術】
【０００２】
従来、人形体に装着するカツラに関して、特許文献１記載の人形用頭の構造が知られている。当該人形用頭の構造は、頭部と頭部に着脱自在に設けられるカツラに関するものであり、軟質合成樹脂によって形成された頭部の表面に係合溝を周設し、髪部材を設けた被覆部材を前記係合溝に係合するゴム紐によって着脱自在に取り付けるというものである。
【先行技術文献】
【特許文献】
【０００３】
【特許文献１】実開昭６１−４６９６号公報
【発明の概要】
【発明が解決しようとする課題】
【０００４】
上記従来のカツラ取付け構造は、頭部に周設した単純な溝にカツラを嵌めつけているだけであるので、頭部に対してカツラが回転して正常な位置からずれるという問題があった。また、着脱自在に構成した場合、装着しやすくするとその反面外れやすいという問題が生じる。
本発明は当該事情に鑑み発明されたものであって、装着したカツラが正常な位置からずれない構造を提供することを第一の課題とするものである。また、装着のしやすさと比較して外れにくいカツラの取付け構造を提供するものである。
【課題を解決するための手段】
【０００５】
上記課題を解決するために本発明は以下の構成を有する。すなわ、請求項１記載の人形は、
表面に頭髪を植毛し、裏面に人形の頭部に被せる凹所を設けた略半球状の装着部を有したカツラを設け、
前記凹所の開口を弾性体によって伸縮可能に形成し、
前記人形の頭部外周に環状の溝部と突起状の凸部を形成し、
前記凹所の開口を前記溝部に着脱可能となるように形成するとともに、前記凸部を前記凹所の内面に係合させるように構成したことを特徴とする。
【０００６】
また、請求項２記載の発明は、請求項１記載の人形であって、
前記凸部は、頭部を構成する樹脂よりも硬質の樹脂によって形成されていることを特徴とする。
【０００７】
また、請求項３記載の人形は、
表面に頭髪を植毛し、裏面に人形の頭部に被せる凹所を設けた略半球状の装着部を有したカツラを設け、
前記凹所の開口を弾性体によって伸縮可能に形成し、
前記人形の頭部外周に環状の溝部を形成し、
前記溝部の後頭部側の縁部に、後方から前方に向かって隆起した傾斜面と当該傾斜面の上縁から溝部の底面に略垂直に至る壁面によって、９０度よりも角度の小さいエッジ形成し、
前記凹所の開口を前記溝部に着脱可能となるように形成したことを特徴とする。
【０００８】
また、請求項４記載の発明は、請求項３記載の人形であって、
前記溝部の後頭部側の縁部に、前記エッジよりも突出させた凸部を形成したことを特徴とする。
【発明の効果】
【０００９】
本発明に係る人形は、頭部にカツラを着脱可能に装着できるものであり、カツラの装着部位となる頭部の溝に、装着時に越えなければならない傾斜面を伴って隆起したエッジ状の縁部を設けている。この構造によって、カツラの装着時には傾斜面に倣ってカツラの装着部開口が開き前記隆起したエッジ状の縁部を乗り越えて開口が溝と嵌合する。嵌合した後に溝から離脱するには、傾斜面の無い側から前記エッジ状の縁部を超えなければならないので装着部開口が開きにくく、意図的にカツラを外す場合を除き多少の力で頭髪が引っ張られたとしても頭部からカツラ外れるのを防止できるようになっている。
また、頭部にカツラが装着されると、頭部表面に設けた突起がカツラの装着部内面に突き刺さるように係合する。このため、装着したカツラが前記溝に沿って回転するのを防止するようになっている。
【図面の簡単な説明】
【００１０】
【図１】本発明に係る人形に用いる頭部の外観斜視図である。
【図２】本発明に係る人形に用いる頭部の正面図である。
【図３】本発明に係る人形に用いる頭部の側面図である。
【図４】本発明に係る頭部とカツラを表した写真である。
【図５】本発明に係るカツラの内部に配置される装着部の部分断面図である。
【発明を実施するための形態】
【００１１】
以下、発明を実施するための形態について図を用いて説明する。
図１は、本発明に係る人形に用いる頭部１の外観斜視図を表し、図２は頭部１の正面図を表し、図３は頭部１の側面図を表している。当該頭部１は彩色性に適した合成樹脂によって一体的に成型されたものである。一例としては、無発泡硬質ウレタン、ABS、PVC等の素材を用いている。当該頭部１の下面には、胴体部との接続に用いる係合孔（図示せず）が設けられている。
頭部１の後頭部である額および耳の後方部分には、幅広の溝２が設けられている。直径で３〜４cm程度の大きさを有する頭部の場合、当該溝２の幅は約５〜６mm、深さは１mm程度である。当該溝２の幅は、後述するカツラの装着部の開口部に設けられた伸縮する帯状体の幅にあわせて形成されている。
【００１２】
前記溝２の前頭部３側の前縁４は、頭部１を前頭部３と後頭部５に分けた略中間付近に配置され、溝２の後頭部５側の後縁６は前縁４に対して前述した間隔を隔てて配置されている。
前頭部３と溝２との境界を成す前縁４は、前頭部３の表面よりも突出することなく、溝２の底面に向かって略垂直に降下する略直角の角部を形成している。
後頭部５と溝２との境界を成す後縁６は、後頭部５の表面よりも突出した９０°よりも角度の小さいエッジを形成した後に溝２の底面に向かって略垂直に降下するような壁面を形成している。そして、後頭部５の後縁６付近では前方に向かってなだらかに上昇する傾斜面７が形成されている。
【００１３】
また、後縁６上の頭頂部に近い部分には、間隔を空けて２個の凸部８が設けられている。凸部８は、先端を尖塔状に尖らせた突起であって、鋭角な前記エッジとして形成された後縁６よりも上方に突出するように設けられている。当該凸部８は、頭部１の成型時に一体的に形成されるものであるが、摩耗に強い硬質の合成樹脂を用いて別途形成した凸部８をインサート成型によって頭部１に設けてもよい。当該凸部８も、後縁６と同様に後方から前方に向かって上昇する傾斜面を有しており、凸部８の前面部分は後縁６と同様に溝２の底面に向かって略垂直に降下する角度に形成されている。
【００１４】
図４は、前記構成の頭部１と当該頭部１に装着するカツラ１０の一例を表した写真である。当該カツラ１０は、頭髪の植毛と頭部１への装着を行う装着部１１を有している。
図５は、装着部１１の外観を表した部分断面図を表している。装着部１１は、布若しくは網状の素材によって中空の半球状に形成されたものであり、表面にはミシン等を用いて頭髪となる繊維が縫い付けられるようになっている。
装着部１１は開口１２を有しており、当該開口１２を介して頭部１の後頭部５を収容し、後頭部５を包み込みながら密着する大きさと形状に形成されている。開口１２の周縁には、ゴム紐等の伸縮性のある帯状帯１３が縫い付けられており、開口１２は当該帯状帯１３の作用によって一定の範囲内で内周長を伸縮させるようになっている。
【００１５】
前記帯状帯１３の幅は、前述した頭部１の溝２の幅と略同じに形成されており、頭部１にカツラ１０を装着すると、帯状帯１３が溝２に入り込んで嵌合した状態となり、装着したカツラ１０の脱落が防止されるようになっている。
頭部１にカツラ１０を装着する際、開口１２は傾斜に沿って口径が拡張されながら、後縁６を乗り越えるようになっている。開口１２の周縁に取り付けた帯状帯１３も、開口１２の拡張に合わせて伸張し、帯状帯１３部分が後縁６を乗り越えて開口１２の内周部分が溝２内に入り込んだところで縮むようになっている。また、後縁６から溝２内に至る部分は略垂直な壁面となっているので、帯状帯１３を含む開口１２が溝２内に嵌ると、溝２内から開口１２が抜けにくくなっている。上記のように、溝２の後縁６はカツラ１０を装着しやすいが外れにくい構造を提供しており、頭部１から不用意にカツラ１０が外れるのを防止している。
【００１６】
溝２を利用してカツラ１０を取り付けると、後縁６の外周部分に配置した凸部８の先端が装着部１１の内面に突き刺さり、溝２に沿ってカツラ１０が回転するのを防止するようになっている。これにより、衣装を着せ替えたりポーズをたらせたりする際に、不要にカツラが回転してしまう等の問題を軽減することができるようになっている。
【産業上の利用可能性】
【００１７】
本発明は、人形体に利用可能である。
【符号の説明】
【００１８】
１  頭部
２  溝
３  前頭部
４  前縁
５  後頭部
６  後縁
８  凸部
１０  カツラ
１１  装着部
１２  開口
１３  帯状帯
【図１】
2013236867.tif 000003
【図２】
2013236867.tif 000004
【図３】
2013236867.tif 000005
【図４】
2013236867.tif 000006
【図５】
2013236867.tif 000007